(57)【要約】      （修正有）【課題】安全容易に、橋梁等の足場を構築可能とする足場を提供する。【解決手段】内側垂直パイプ１５と短寸パイプ１４とを連結する筋交部材２０を設けるとともに、この筋交部材２０の両端に、着脱可能な係合部材３０を設け、この係合部材３０は、内側垂直パイプ１５および短寸パイプ１４に固定金具を介して係着させる第一の係合部材と、この第一の係合部材にピン部材を介して角度調整可能に取り付けた第二の係合部材とによって構成し、当該第二の係合部材を筋交部材の両端にそれぞれ固定する。内側垂直パイプ１５と短寸パイプ１４は角管とする場合がある。【選択図】図１
0003161351.tif 000002
【実用新案登録請求の範囲】
【請求項１】
橋梁等の長手方向に沿って設ける内側長手パイプと、
この内側長手パイプと平行に設ける外側長手パイプと、
これらの二本の長手パイプに略直角をなすよう掛け渡した短寸パイプと、
前記内側長手パイプに略垂直をなすよう配した内側垂直パイプと、
前記外側長手パイプに略垂直をなすよう配した外側垂直パイプとを備える橋梁等の足場パイプであって、
内側垂直パイプと短寸パイプとを連結する筋交部材を設けるとともに、
この筋交部材の両端に、着脱可能な係合部材を設け、
この係合部材は、
内側垂直パイプおよび短寸パイプに固定金具を介して係着させる第一の係合部材と、
この第一の係合部材にピン部材を介して角度調整可能に取り付けた第二の係合部材とによって構成し、
当該第二の係合部材を筋交部材の両端にそれぞれ固定することを特徴とする橋梁等の足場。
【請求項２】
内側垂直パイプおよび短寸パイプは角管であることを特徴とする請求項１記載の橋梁等の足場。
【請求項３】
第一の係合部材は、
角管を抱持する略Ｕ字状の抱持部と、
この抱持部の底面から略直角に設けた係合フランジと、
この係合フランジに設けた係合孔とを備え、
第二の係合部材は、
筋交部材の両端に設けた平板状の連結プレートと当接して、当該連結プレートと結合させる接合プレートと、
この係合プレートの略中央部に立ち上げた垂直フランジと、
この垂直フランジに設けた係合孔とを備え、
前記係合フランジまたは前記垂直フランジのいずれか一方を、クリアランスをもたせた二つの平行板によって構成する一方、
係合フランジまたは垂直フランジのいずれか一方を、前記クリアランス内に挿入させ、重ね合わせた係合孔に固定ピンを挿通して締め固定することを特徴とする請求項２記載の橋梁等の足場。
【考案の詳細な説明】
【技術分野】
【０００１】
本考案は、橋梁や高架橋の補修工事に用いる仮設足場パイプの構造に関する。
【背景技術】
【０００２】
河川に架ける橋梁や高速道路等の高架橋（以下、橋梁等）の補修工事や点検工事において、橋梁等の路盤の側面に仮設足場を設ける場合がある。
【０００３】
このような橋梁等の仮設足場としては、従来、いわゆるチェーンを用いて足場構築用のパイプ材を支持する吊り足場が知られている（特許文献１）。
【０００４】
橋梁等に設ける仮設足場は、図７、図８に示すように、橋梁等１の長手方向に沿って設ける内側長手パイプ２と、この内側長手パイプ２と平行に設ける外側長手パイプ３と、これらの二本の長手パイプ２、３に略直角をなすよう掛け渡した短寸パイプ４を設けるとともに、内側長手パイプ２に略垂直をなすよう配した内側垂直パイプ５、および外側長手パイプ３に略垂直をなすよう配した外側垂直パイプ６とを備えるように構成する。
【０００５】
この場合、橋梁等１に近い側に配する内側長手パイプ２は、例えば、橋梁等１の固定部材（予め配設されているもの又は作業時に固定するもの）Ｑを利用して取り付ける。直接の固定、または吊り材を介して内側長手パイプ２を吊り固定する等である。
【０００６】
一方、外側長手パイプ３は、橋梁等１の適宜個所に一端を固定したチェーン７を介して固定する。そして、短寸パイプ４の上に作業員が歩くための踏み板（図示せず）を配設し、仮設足場を形成する。
【先行技術文献】
【特許文献】
【０００７】
【特許文献１】特開２００２−１６１５１４号
【考案の開示】
【考案が解決しようとする課題】
【０００８】
問題は、足場の構築に要する作業の煩雑である。
【０００９】
その理由は、従来の足場は、内側長手パイプ２と短寸パイプ４とを設けてから、短寸パイプ４の先端部に外側長手パイプ３を配し、この外側長手パイプ３にチェーン７を掛け渡すためである。
【００１０】
チェーン７を外側長手パイプ３に固定するまでは、短寸パイプ４の先端部は、仮の支持を受けているだけで、確実な支持状態ではないので、足場用の踏み板を配することも出来ないし、作業員は、例えば、クレーン等の作業車両を利用してチェーン７の掛け渡し作業をしなければならない。煩雑であり、危険を伴い、作業コストも高騰する。
【００１１】
そこで、本考案の目的は、より安全容易に、橋梁等の足場を構築可能とすることにある。
【課題を解決するための手段】
【００１２】
前記目的を達成するため、本考案に係る橋梁等の足場は、橋梁等の長手方向に沿って設ける内側長手パイプと、この内側長手パイプと平行に設ける外側長手パイプと、これらの二本の長手パイプに略直角をなすよう掛け渡した短寸パイプと、前記内側長手パイプに略垂直をなすよう配した内側垂直パイプと、前記外側長手パイプに略垂直をなすよう配した外側垂直パイプとを備える橋梁等の足場パイプであって、内側垂直パイプと短寸パイプとを連結する筋交部材を設けるとともに、この筋交部材の両端に、着脱可能な係合部材を設け、この係合部材は、内側垂直パイプおよび短寸パイプに固定金具を介して係着させる第一の係合部材と、この第一の係合部材にピン部材を介して角度調整可能に取り付けた第二の係合部材とによって構成し、当該第二の係合部材を筋交部材の両端にそれぞれ固定する（請求項１）。
【００１３】
内側垂直パイプおよび短寸パイプは角管とする場合がある（請求項２）。
【００１４】
第一の係合部材は、角管を抱持する略Ｕ字状の抱持部と、この抱持部の底面から略直角に設けた係合フランジと、この係合フランジに設けた係合孔とを備え、第二の係合部材は、筋交部材の両端に設けた平板状の連結プレートと当接して、当該連結プレートと結合させる接合プレートと、この係合プレートの略中央部に立ち上げた垂直フランジと、この垂直フランジに設けた係合孔とを備え、前記係合フランジまたは前記垂直フランジのいずれか一方を、クリアランスをもたせた二つの平行板によって構成する一方、係合フランジまたは垂直フランジのいずれか一方を、前記クリアランス内に挿入させ、重ね合わせた係合孔にピン部材を挿通して締め固定する場合がある（請求項３）。
【００１５】
本発明に係る足場構造は、内側垂直パイプと短寸パイプとを連結する筋交部材を設けるものであり（請求項１）、内側垂直パイプ、短寸パイプ、筋交部材は、橋梁等に設置固定する前に予めピン部材（ボルト）およびナットを用いて組み立て固定しておくことが可能である。組み合わせは角度調整可能にピンを用いた固定構造（トラス）を呈する。従って、実際の工事では橋梁等に配設してある（または任意配設した）固定部材を利用して内側垂直パイプを固定することによって、組み上がっている内側長手パイプ、短寸パイプ、筋交部材を一体構造物として取り付けることが出来る。
【００１６】
踏み板を配設する短寸パイプは、筋交部材によって下方から支持されるから、作業員が体重をかけても安全である。短寸パイプを利用して踏み板を配設すれば、作業員の歩行も可能である。また、作業の安全のために必要な外側垂直パイプは、踏み板の上に載って作業員が安全に取り付けることが出来る。
【００１７】
請求項２のように、内側垂直パイプおよび短寸パイプを角管とした場合は、橋梁等に対する固定が断面円形の丸管に較べて容易となる。作業効率が高まる。
【００１８】
また、請求項２のように、内側垂直パイプおよび短寸パイプを角管とした場合は、筋交部材の両端に配する係合部材との係合も安定する。請求項３のように、角管を抱持する略Ｕ字状の抱持部を備える係合部材を用いることが出来るからである。丸管と異なり、角管を用いた抱持構造であれば、橋梁等を走行する車両による継続的な振動を受けても足場の係合状態が緩んだり外れたりする可能性が少なくなり、安全な作業工事に寄与する。
【考案の効果】
【００１９】
本考案に係る橋梁等の足場によれば、内側垂直パイプ、短寸パイプ、筋交部材を予め組み立てておき、内側垂直パイプを橋梁等に固定することが出来るため、足場の構築を安全かつ容易に行うことが可能となる。内側垂直パイプ、短寸パイプ、筋交部材は、係合部材を取り外すことによってパーツに分解できるため、輸送時、撤去後の保管時もかさばらない。また、作業現場ごとに係合部材の取り付け位置を変えることが出来るので、安全確保のための支持構造を得ることが出来る。
【図面の簡単な説明】
【００２０】
【図１】実施形態に係る足場の全体構成を例示する斜視図である。
【図２】実施形態に係る筋交部材を側面から例示する図である。
【図３】実施形態に係る係合部材を例示する斜視図である。
【図４】実施形態に係る第一の係合部材を例示する斜視図である。
【図５】実施形態に係る第二の係合部材を例示する斜視図である。
【図６】第二の実施形態に係る足場の全体構成を例示する斜視図である。
【図７】従来の足場の全体構成を示す斜視図である。
【図８】従来の足場の構成を示す側面図である。
【考案を実施するための形態】
【００２１】
図１、図２は、本考案に係る橋梁等の足場を例示するものである。この足場構造は、橋梁等１の長手方向に沿って設ける内側長手パイプ（おやご）１１と、この内側長手パイプ１１と平行に設ける外側長手パイプ１２と、これらの二本の長手パイプ１１、１２に略直角をなすよう掛け渡した短寸パイプ（腕木、ころばし）１４と、前記内側長手パイプ１１に略垂直をなすよう配した内側垂直パイプ１５と、前記外側長手パイプ１２に略垂直をなすよう配した外側垂直パイプ（おやご）１６とを備えており、内側垂直パイプ１５と短寸パイプ１４とを連結する筋交部材２０を設けるものである。
【００２２】
また、この筋交部材２０の両端に、着脱可能な係合部材３０を設ける。
【００２３】
この係合部材３０は、内側垂直パイプ１５および短寸パイプ１４に固定金具（例えばボルトナット）を介して係着させる第一の係合部材３１と、この第一の係合部材３１にピン部材（例えばボルトナット）を介して角度調整可能に取り付けた第二の係合部材３５とによって構成する。当該第二の係合部材３５は、筋交部材２０の両端にそれぞれ固定する。
【００２４】
この実施形態では、内側垂直パイプ１５の上端部を、橋梁等１に設けてある固定部材Ｑに固定させてある。固定部材Ｑは、例えば地覆（橋梁幅員最端部の凸部）、あるいは路盤下などの適宜個所に予め設けてある場合は、それらを利用できる。固定部材Ｑがない場合は、作業時に固定すればよい。なお、橋梁等１に足場を固定する場合は、内側垂直パイプ１５に代えて他のパイプ材、例えば内側長手パイプ１１を橋梁等１に固定しても良い。いずれかの部材が、橋梁等１に固定されていれば構造の安全を確保できる。
【００２５】
内側長手パイプ１１、外側長手パイプ１２、短寸パイプ１４、内側垂直パイプ１５、外側垂直パイプ１６は、例えば、金属管、樹脂管を利用できる。耐久性や経済性の点では金属管を使用することが望ましい。丸管、角管を問わないが、本実施形態では、少なくとも、短寸パイプ１４、内側垂直パイプ１５に角管を使用する。これにあわせて、短寸パイプ１４および内側垂直パイプ１５に固定する第一の係合部材３１は角管を保持できる形状としてある。短寸パイプ１４および内側垂直パイプ１５に角管を使用することによって、第一の係合部材３１による係合保持が安定する。
【００２６】
第一の係合部材３１の係合位置を自由に調整出来るよう、少なくとも、短寸パイプ１４と内側垂直パイプ１５には、長手方向に沿って複数のピン孔Ｐを設けておくことが望ましい。ピン孔Ｐの配設間隔は、例えば５〜１５ｃｍ程度とすることが出来る。
【００２７】
筋交部材２０は、金属製または樹脂製の管材（丸管または角管）を利用することが出来る。剛性や耐久性の点では金属管が優れる。
【００２８】
筋交部材２０は、長さの調整を可能とするため、少なくとも一端部に伸縮調整部材（例えばネジ式ジャッキ）Ｚを配することが望ましい。
【００２９】
また、筋交部材２０の両端部には、第二の係合部材３５を固定するための平板状の連結プレートを溶接等の手段によって配設しておくことが望ましい。伸縮調整部材（例えばネジ式ジャッキ）Ｚを設ける場合は、当該伸縮調整部材（例えばネジ式ジャッキ）Ｚの先端に平板状の連結プレートを固定する。
【００３０】
筋交部材２０の両端部に配する係合部材３０は、具体的には図３〜図５に示すように構成する。
【００３１】
第一の係合部材３１は、角管である内側垂直パイプ１５および短寸パイプ１４を抱持する略Ｕ字状の抱持部３２と、この抱持部３２の底面から略直角に設けた係合フランジ３３と、この係合フランジ３３に設けた係合孔３４を備える。
【００３２】
抱持部３２は、底面３２−１、側面３２−２、および側面３２−２に設けたピン孔３２−３を備える。ピン孔３２−３は、内側垂直パイプ１５および短寸パイプ１４に設けたピン孔Ｐと重ね合わせて固定部材（ボルト等のピン部材）を挿通させるためのものである。
【００３３】
第二の係合部材３５は、筋交部材２０の両端に設けた平板状の連結プレート（図示せず）と当接して、当該連結プレートと結合させる接合プレート３６と、この係合プレート３６の略中央部に立ち上げた垂直フランジ３７と、この垂直フランジ３７に設けた係合孔３８とを備える。
【００３４】
この実施形態では、第一の係合部材３１の係合フランジ３３を、クリアランスをもたせた二つの平行板によって構成してあり、ここに係合孔３４を設ける一方、第二の係合部材３５の垂直フランジ３７を肉厚の一枚板で構成し、ここに係合孔３８を設けてある。そして、垂直フランジ３７を係合フランジ３３に差し込んで、係合孔３４、３８を重ね合わせ、固定ピン（ボルト等）を挿通して締め固定する。両者は締め固定するが、固定ピンによって角度調整可能に固定されるので、第一の係合部材３１は設定角度に応じて自由に首振りができ、筋交部材２０の設定角度に柔軟に対応して配設できる。
【００３５】
第二の係合部材３５は、係合プレート３６の適宜個所、例えば四隅近傍に設けたピン孔３６−１を利用して、筋交部材２０の両端に設けた平板状の連結プレートに固定する。
【００３６】
従って、かかる構成によれば、内側垂直パイプ１５、短寸パイプ１４、筋交部材２０を、橋梁等１に設置固定する前に予めボルト等を用いて組み立てておき、内側垂直パイプ１５を橋梁等１に固定すれば、踏み板を載せるための短寸パイプ１４が筋交部材２０によって下方から支持された状態で固定される。これにより、作業員は踏み板を利用して、外側長手パイプ１２、外側垂直パイプ１６を安全な作業環境下で取り付けることが出来、足場の構築が安全容易となる。
【００３７】
なお、本願考案に係る足場構造は、この実施形態に限定されない。例えば、内側垂直パイプ１５および短寸パイプ１４は、角管に限定されず丸管を利用しても良い。その場合は、第一の係合部材３１の抱持部３２を、丸管に密接できる曲面形状とする。
【００３８】
実施形態では、橋梁等１の路盤下にある固定部材Ｑを介して内側垂直パイプ１５を固定する旨説明したが、図６に示すように、橋梁等１の地覆Ｆを利用して内側垂直パイプ１５を固定しても良い。
【符号の説明】
【００３９】
１  橋梁等
１１  内側長手パイプ
１２  外側長手パイプ
１４  短寸パイプ
１５  内側垂直パイプ
１６  外側垂直パイプ
２０  筋交部材
３０  係合部材
３１  第一の係合部材
３２  抱持部
３２−１  底面
３２−２  側面
３２−３、３６−１、Ｐ  ピン孔
３３  係合フランジ
３４、３８  係合孔
３５  第二の係合部材
３６  接合プレート
３７  垂直フランジ
Ｆ  地覆
Ｑ  固定部材
Ｚ  伸縮調整部材
【図１】
0003161351.tif 000003
【図２】
0003161351.tif 000004
【図３】
0003161351.tif 000005
【図４】
0003161351.tif 000006
【図５】
0003161351.tif 000007
【図６】
0003161351.tif 000008
【図７】
0003161351.tif 000009
【図８】
0003161351.tif 000010